(57)【特許請求の範囲】
【請求項１】
サッシ枠と、サッシ枠の縦枠同士を連結する方立と、目板とを備え、縦枠は方立と係合しており、目板は、ホロー形材であり、方立の略全長に亘って係合して設けてあり、左右の縦枠及び方立の室内側面に跨って配置され、左右の縦枠と方立にネジ止めしてあり、方立は長手方向に突部を有し、方立の突部と目板とで縦枠の室内側縁部を長手方向全長に亘って挟み込んでいることを特徴とする防火建具。
【発明の詳細な説明】
【技術分野】
【０００１】
本発明は、隣接するサッシ枠の縦枠同士を方立で連結した防火建具に関する。
【背景技術】
【０００２】
ビル等の窓では、複数の窓枠の縦枠同士を方立で連結し、連窓としたものがある。このような窓では、火災時に縦枠や方立が火災の熱で変形したり溶融したりするのに伴って、縦枠と方立との間に隙間ができ、その隙間を通じて火炎や煙等が室内外を連通するおそれがある。
【発明の概要】
【発明が解決しようとする課題】
【０００３】
本発明は以上に述べた実情に鑑み、縦枠同士を方立で連結した建具の防火性能の向上を目的とする。
【課題を解決するための手段】
【０００４】
上記の課題を達成するために請求項１記載の発明による防火建具は、サッシ枠と、サッシ枠の縦枠同士を連結する方立と、目板とを備え、縦枠は方立と係合しており、目板は、ホロー形材であり、方立の略全長に亘って係合して設けてあり、左右の縦枠及び方立の室内側面に跨って配置され、左右の縦枠と方立にネジ止めしてあり、方立は長手方向に突部を有し、方立の突部と目板とで縦枠の室内側縁部を長手方向全長に亘って挟み込んでいることを特徴とする。
【発明の効果】
【０００５】
請求項１記載の発明による防火建具は、目板がホロー形材であることで、火災時に目板のホロー部により火炎を遮り、縦枠と方立との連結部を火災の熱から保護することができ、さらに目板は方立の略全長に亘って係合して設けてあり、左右の縦枠及び方立本体の室内側面に跨って配置され、左右の縦枠と方立にネジ止めしてあり、方立は長手方向に突部を有し、方立の突部と目板とで縦枠の室内側縁部を長手方向全長に亘って挟み込んでいるため、火災時に縦枠や方立の溶融と、縦枠と方立間の隙間の発生を抑制し、火炎や煙の連通を防止できるので、防火性能が向上する。
【図面の簡単な説明】
【０００６】
【図１】図２のＡ−Ａ断面図である。
【図２】本発明の一実施形態に係る防火建具の室内側正面図である。
【発明を実施するための形態】
【０００７】
以下、本発明の実施の形態を図面に基づいて説明する。図１，２は、本発明の防火建具の一実施形態を示している。この防火建具は、ビルの窓に用いられるものであって、図２に示すように、左右に隣接して配置されたサッシ枠１，１の縦枠２，２同士を方立３で連結し、連窓にしたものである。
各サッシ枠１には、図１に示すように、室内側から複層ガラス１１を嵌め込み、室内側に押縁１２を取付け、サッシ枠１の室外側のガラス保持片１３及び室内側の押縁１２と複層ガラス１１との間に、バックアップ材１４とシール材１５を装填して複層ガラス１１を固定してあり、いわゆる嵌め殺し窓となっている。
サッシ枠１の縦枠２は、アルミニウム合金の押出形材よりなり、図１に示すように、外周側が開放した略コ字状断面となっており、縦枠２の室外側縁部１６は室内側に向けて鉤状に曲がった形に形成され、縦枠２の室内側縁部１７は室外側に向けて鉤状に曲がった形に形成されている。
【０００８】
方立３は、図１に示すように、方立本体１８と目板５と目板カバー１９とで構成されている。方立本体１８は、アルミニウム合金の押出形材よりなり、室外側端部に設けられた横長矩形断面の中空部２０と、左右の縦枠２，２間に介在する見込み方向に長い矩形断面の中空部２１とを有している。室外側の中空部２０は、縦枠２，２間の中空部２１よりも側方に張り出している。縦枠２，２間の中空部２２を成す一対の見込み壁２２，２２には、室外側寄りの位置に室外側に向けて鉤状に曲がった爪６が長手方向に沿って設けてある。また、一対の見込み壁２２，２２の室内側端部寄りの位置には、突部７が長手方向に沿って設けてある。突部７の先端部には、縦枠２の室内側縁部１７が係止する係止部２３を有する。方立本体１８の室内側面には、複数の鉤状の爪２４が長手方向に沿って設けてある。
目板５は、方立３の略全長に亘って設けられるものであって、アルミニウム合金の押出形材よりなり、室外側壁２５と室内側壁２６と一対の側壁２７，２７とで横長の矩形断面のホロー部３６が形成されたホロー形材となっている。室外側壁２５は、方立本体１８の中空部２１と略同じ横幅を有する取付板部２８と、取付板部２８の左右端部より室内側に若干オフセットして側方にのびる縦枠支持部２９，２９とを有し、左右の縦枠２，２及び方立本体１８の室内側面に跨って配置してある。取付板部２８は、室外側面に複数の鉤状の爪３０を長手方向に沿って有し、この爪３０を方立本体１８の爪２４と係合させた上で、室内側からのネジ３１で固定してある。
目板カバー１９は、アルミ又は樹脂の押出形材よりなり、室外側が開放した略コ字状断面に形成され、左右の側壁に形成された係止部３７，３７を目板５の側縁部に室内側から弾発的に係止させて取付けられ、目板５を室内側から被っている。
【０００９】
縦枠２は、図１に示すように、室外側縁部１６が方立本体１８の見込み壁２２に形成された爪６に室外側から係合している。方立本体１８の見込み壁２２の室外側端部には、アルミ等の金属の矩形断面の長尺材よりなる開き防止具４が長手方向の略全長に亘って配置され、側方からのネジ３２で固定してあり、この開き防止具４は、方立本体１８の室外側の中空部２０の室内側面と縦枠２の室外側面との間に介在しており、縦枠２の室外側に当接している。この開き防止具４がクサビとなり、縦枠２が方立本体１８との係合が解除する方向（室外側）に移動するのを長手方向で規制している。さらに、方立本体１８の室外側の中空部２０の室内側面と縦枠２の室外側面との間には、耐火性のバックアップ材３３を挿入した上でシール材３４を充填し、雨水の浸入を防いでいる。縦枠２の室内側縁部１７は、方立本体１８の見込み壁２２に長手方向に設けた突部７と目板５の縦枠支持部２９とで挟み込まれている。さらに、縦枠２の室内側縁部１７は、目板５の縦枠支持部２９に室内側からのネジ３５で固定してある。目板５の室内側壁２６には、目板５の室外側壁２５（取付板部２８及び縦枠支持部２９）を方立３と縦枠２にそれぞれ固定するネジ３１，３５を挿通するための孔（図示省略）が設けてあり、これらの孔は目板カバー１９により隠してある。
【００１０】
以上に述べたように本実施形態の防火建具は、縦枠２の室外側縁部１６が方立本体１８の爪６に室外側から係合し、方立本体１８の見込み壁２２に開き防止具４が長手方向にネジ止めして取付けてあり、開き防止具４が縦枠２の室外側に当接していることで、開き防止具４により縦枠２の室外側への移動が規制され、縦枠２と方立３の係合状態が維持されるため、火災時に縦枠２と方立３間の隙間の発生を抑制し、火炎や煙の連通を防止できるので、防火性能が向上する。さらに本防火建具は、縦枠２の室内側縁部１７を方立（目板５）に室内側からネジ止めしてあるので、縦枠２の室内側縁部１７が目板５や方立本体２３から離れて隙間が開くのを確実に防ぎ、火炎や煙の連通を防止できる。開き防止具４は、アルミ等の市販のフラットバーを利用することができ、安価に入手できる。開き防止具４が方立３の見込み面に配置され、縦枠２の係合が外れる方向に対して直交する方向のネジ３２で方立３に固定してあるので、縦枠２に係合が外れる方向（室外側向き）に力が働いたときに、その力に対してネジ３２がせん断力で抵抗することになるので、室内外方向のネジで開き防止具４を固定した場合（この場合にはネジが引き抜き力で抵抗する）よりも、より強い力に耐えることができる。
【００１１】
また本実施形態の防火建具は、目板５がホロー形材であることで、火災時に目板５のホロー部３６を成す室内側壁２６及び側壁２７，２７により火炎を遮り、縦枠２，２と方立３との連結部（目板５の室外側壁２５）を火災の熱から保護することができ、さらに目板５は方立３の略全長に亘って係合して設けてあり、左右の縦枠２，２及び方立本体１８の室内側面に跨って配置され、左右の縦枠２，２と方立本体１８にネジ止めしてあり、方立本体１８の突部７と目板５とで縦枠２，２の室内側縁部１７を挟み込んでいるため、火災時に縦枠２や方立３の溶融と、縦枠２と方立３間の隙間の発生を抑制し、火炎や煙の連通を防止できるので、防火性能が向上する。目板５は、爪２４，３０で方立本体１８と略全長に亘って係合しているため、目板５の取付強度が高く、方立本体１８との間に隙間が生じない。
【００１２】
本発明は以上に述べた実施形態に限定されない。縦枠及び方立の断面形状は、適宜変更することができる。目板の材質や断面形状は、適宜変更することができる。本発明においては、方立（方立本体）の突部と目板とで縦枠の室内側縁部を挟み込んでいることで、縦枠が方立との係合が解除する方向に移動するのを規制できるので、開き防止具は省略することもできる。本発明の防火建具は、実施形態のような嵌め殺し窓に限らず、サッシ枠内に２枚の障子を引違い状に開閉自在に収めた引違い窓や、サッシ枠内に１枚の障子をすべり出し式に開閉自在に収めたすべり出し窓等に適用することもできる。
【符号の説明】
【００１３】
１  サッシ枠
２  縦枠
３  方立
４  開き防止具
５  目板
６  爪
７  突部
１６  縦枠の室外側縁部（爪）
１８  方立本体（方立）
【図１】
0006613047.tif 000002
【図２】
0006613047.tif 000003